(57)【要約】【課題】網制御装置において、データ記憶手段にデータを書込動作中に商用電源の電源遮断が発生しても、書込動作を確保することが可能な網制御装置を提供することである。【解決手段】網制御装置１は、端末装置２と遠隔端末装置３との間でデータ通信回線４を介してデータを送受信するための網制御装置であって、電源切替信号を出力するシステム制御回路１０３と、データを記憶するデータ記憶回路１０４と、システム制御回路１０３とデータ記憶回路１０４に電源を供給する主電源供給手段としてＡＣ／ＤＣ電源回路１１１およびＤＣ／ＤＣ電源回路１１２と、データ記憶回路１０４に電源を供給する副電源供給手段としてサブ電源回路１２０と、システム制御回路１０３から出力される電源切替信号に応じて副電源供給手段からデータ記憶回路１０４に電源を供給するように制御する電源切替回路１３０とを備える。【選択図】        図１
2006203285.tif 000002
【特許請求の範囲】
【請求項１】
端末装置と遠隔端末装置との間でデータ通信回線を介してデータを送受信するための網制御装置であって、
電源切替信号を出力する制御手段と、
データを記憶するデータ記憶手段と、
前記制御手段と前記データ記憶手段に電源を供給する主電源供給手段と、
前記データ記憶手段に電源を供給する副電源供給手段と、
前記制御手段から出力される電源切替信号に応じて前記副電源供給手段から前記データ記憶手段に電源を供給するように制御する電源切替手段と、
を備えた網制御装置。
【請求項２】
前記電源切替信号は、前記制御手段が前記データ記憶手段を使用する際に出力する使用信号を含む、請求項１に記載の網制御装置。
【請求項３】
前記電源切替信号は、前記制御手段が前記データ記憶手段に割り当てたアドレス空間に従ったアドレス信号を含む、請求項１に記載の網制御装置。
【請求項４】
端末装置と遠隔端末装置との間でデータ通信回線を介してデータを送受信するための網制御装置であって、
制御手段と、
データを記憶し、状態信号を出力するデータ記憶手段と、
前記制御手段と前記データ記憶手段に電源を供給する主電源供給手段と、
前記データ記憶手段に電源を供給する副電源供給手段と、
前記データ記憶手段から出力される状態信号に応じて前記副電源供給手段から前記データ記憶手段に電源を供給するように制御する電源切替手段と、
を備えた網制御装置。
【請求項５】
前記主電源供給手段の供給電圧の低下を検知し、検知信号を出力する電圧低下検出手段をさらに備え、
前記電源切替信号は、前記検知信号を含む、請求項２または請求項４に記載の網制御装置。
【請求項６】
前記副電源供給手段は、２次電池を含む、請求項１から請求項５までのいずれか１項に記載の網制御装置。
【請求項７】
前記副電源供給手段は、コンデンサを含む、請求項１から請求項５までのいずれか１項に記載の網制御装置。
【発明の詳細な説明】
【技術分野】
【０００１】
この発明は、一般的には網制御装置に関し、特定的には網制御装置におけるデータ記憶手段の電源制御方法に関するものである。
【背景技術】
【０００２】
近年、ガスメータや水道メータの検針業務の簡易化を目的として、データ通信回線を利用して計量データを網制御装置からセンターサーバへ送信する自動検針システムが使用されている。
【０００３】
このような自動検針システムにおいては、たとえば、網制御装置をガスメータ・水道メータなどの計量装置や警報機などの端末装置に接続するとともに、公衆通信回線やインターネット通信回線などのデータ通信回線により、ガス供給会社や警備会社などの遠隔端末装置（センターサーバ）と接続して、遠隔端末装置と端末装置の通信を中継することによって遠隔端末装置からの自動遠隔検針や、端末装置から遠隔端末装置へのガス漏れ警報送信などを行う。
【０００４】
網制御装置はガスメータや水道メータという重要インフラに絡む装置であり、メータデータや通信データなど重要性の高いデータを処理する。このため、網制御装置は、電源電圧低下などの異常時におけるデータの堅牢性を図るためにデータ記憶手段として不揮発性メモリを搭載している。センターからの制御データや端末装置からの警報要求データなどを不揮発性メモリに記憶することにより、信頼性の高いシステム構築を実現している。
【０００５】
網制御装置に限らず、不揮発性メモリに記憶するデータの堅牢性を高める方法としては、たとえば、特開平１−１００６４６号公報（特許文献１）には、メモリセルから読み出した信号についてビット誤りを検出し訂正する誤り検出・訂正回路を備えた不揮発性メモリが提案されている。
【０００６】
また、特開平３−２５０３４７号公報（特許文献２）には、第１と第２の不揮発性メモリ素子に誤り検出符号を付加した同一の情報データを記憶する不揮発性メモリが提案されている。
【特許文献１】特開平１−１００６４６号公報
【特許文献２】特開平３−２５０３４７号公報
【発明の開示】
【発明が解決しようとする課題】
【０００７】
しかしながら、上記の公報で提案された不揮発性メモリを用いても不揮発性メモリへの書込動作中に電源遮断が発生した場合の書込データを保証することは困難である。
【０００８】
商用電源を用いて動作させる網制御装置が開発されてきている。このような網制御装置では、停電などにより装置の電源が切れてしまう場合がある。セキュリティ性の高いデータを網制御装置内の不揮発性メモリに書込動作中に電源遮断が発生すると、セキュリティデータが破損するだけでなく、不揮発性メモリの当該メモリ領域内のデータも破損する場合がある。このような場合、システムの堅牢性を確保することが困難となる。
【０００９】
そこで、本発明の目的は、網制御装置において、データ記憶手段にデータを書込動作中に商用電源の電源遮断が発生しても、データ記憶手段へのデータの書込動作を確保することが可能な網制御装置を提供することである。
【課題を解決するための手段】
【００１０】
この発明の一つの局面に従った網制御装置は、端末装置と遠隔端末装置との間でデータ通信回線を介してデータを送受信するための網制御装置であって、制御手段と、データ記憶手段と、主電源供給手段と、副電源供給手段と、電源切替手段とを備える。制御手段は電源切替信号を出力する。データ記憶手段はデータを記憶する。主電源供給手段は、制御手段とデータ記憶手段に電源を供給する。副電源供給手段はデータ記憶手段に電源を供給する。電源切替手段は、制御手段から出力される電源切替信号に応じて副電源供給手段からデータ記憶手段に電源を供給するように制御する。
【００１１】
この発明の一つの局面に従った網制御装置においては、制御手段から出力される電源切替信号を用いて電源切替手段を制御することにより、主電源供給手段に加えて副電源供給手段からも電源をデータ記憶手段に供給することが可能となる。これにより、データ記憶手段が動作中に商用電源遮断等により主電源供給手段の電源電圧が低下しても、副電源供給手段により継続してデータ記憶手段を動作させることが可能となる。
【００１２】
この発明の一つの局面に従った網制御装置においては、電源切替信号は、制御手段がデータ記憶手段を使用する際に出力する使用信号を含むのが好ましい。
【００１３】
この場合、制御手段がデータ記憶手段を使用する際に出力する制御信号を用いて電源切替手段を制御することにより、制御手段がデータ記憶手段に対してアクセスしている間は主電源供給手段に加えて副電源供給手段からも電源をデータ記憶手段に供給することが可能となる。これにより、データ記憶手段が動作中に商用電源遮断等により主電源供給手段の電源電圧が低下しても、副電源供給手段により継続してデータ記憶手段を動作させることが可能となる。
【００１４】
また、この発明の一つの局面に従った網制御装置においては、電源切替信号は、制御手段がデータ記憶手段に割り当てたアドレス空間に従ったアドレス信号を含むのが好ましい。
【００１５】
この場合、制御手段がデータ記憶手段に割り当てたアドレス信号を用いて電源切替手段を制御することにより、制御手段がデータ記憶手段内の特定アドレス空間に対してアクセスしている間は主電源供給手段に加えて副電源供給手段からも電源をデータ記憶手段に供給することが可能となる。これにより、重要データを格納している特定のメモリ空間に対してアクセス中に商用電源遮断等により主電源供給手段の電源電圧が低下しても、副電源供給手段により継続してデータ記憶手段を動作させることが可能となるとともに、副電源供給手段に対する負荷を軽減することが可能となる。
【００１６】
この発明のもう一つの局面に従った網制御装置は、端末装置と遠隔端末装置との間でデータ通信回線を介してデータを送受信するための網制御装置であって、制御手段と、データ記憶手段と、主電源供給手段と、副電源供給手段と、電源切替手段とを備える。データ記憶手段は、データを記憶し、状態信号を出力する。主電源供給手段は、制御手段とデータ記憶手段に電源を供給する。副電源供給手段はデータ記憶手段に電源を供給する。電源切替手段は、データ記憶手段から出力される状態信号に応じて副電源供給手段からデータ記憶手段に電源を供給するように制御する。
【００１７】
この発明のもう一つの局面に従った網制御装置においては、副電源供給手段からの電源供給に切り替えるための電源切替手段の制御信号として、データ記憶手段が出力する状態信号を用いることにより、データ記憶手段が内部処理動作中のときには、主電源供給手段に加えて副電源供給手段からも電源をデータ記憶手段に供給することが可能となる。これにより、データ記憶手段が内部処理動作中に商用電源遮断等により主電源供給手段の電源電圧が低下しても、副電源供給手段により継続してデータ記憶手段の内部処理動作を行い、内部処理動作を正常終了させることが可能となる。
【００１８】
この発明の一つの局面に従った網制御装置、または、この発明のもう一つの局面に従った網制御装置は、主電源供給手段の供給電圧の低下を検知し、検知信号を出力する電圧低下検出手段をさらに備え、電源切替信号は検知信号を含むのが好ましい。
【００１９】
この場合、この発明の一つの局面に従った網制御装置においては、副電源供給手段からの電源供給に切り替えるための電源切替手段の制御信号として電圧低下検出手段の検知信号と、制御手段がデータ記憶手段を使用する際に出力する制御信号とを用いることにより、制御手段がデータ記憶手段に対してアクセスしている間で、主電源供給手段の電源電圧が低下した時のみに、副電源供給手段からも電源をデータ記憶手段に供給することが可能となる。これにより、データ記憶手段が動作中に商用電源遮断等により主電源供給手段の電源電圧が低下しても、副電源供給手段により継続してデータ記憶手段を動作させることが可能となるとともに副電源供給手段に対する負荷を抑えることが可能となる。
【００２０】
また、この場合、この発明のもう一つの局面に従った網制御装置においては、副電源供給手段からの電源供給に切り替えるための電源切替手段の制御信号として電圧低下検出手段の検知信号と、データ記憶手段が出力する状態信号とを用いることにより、データ記憶手段が内部処理動作を行っている間で、主電源供給手段の電源電圧が低下した時のみに、副電源供給手段からも電源をデータ記憶手段に供給することが可能となる。これにより、データ記憶手段が動作中に商用電源遮断等により主電源供給手段の電源電圧が低下しても、副電源供給手段により継続してデータ記憶手段を動作させることが可能となるとともに副電源供給手段に対する負荷を抑えることが可能となる。
【００２１】
この発明の一つの局面に従った網制御装置、または、この発明のもう一つの局面に従った網制御装置においては、副電源供給手段は２次電池またはコンデンサを含むのが好ましい。
【発明の効果】
【００２２】
以上のようにこの発明によれば、網制御装置において、データ記憶手段が動作中に商用電源遮断等により主電源供給手段の電源電圧が低下しても、副電源供給手段により継続してデータ記憶手段を動作させることが可能となり、データ記憶手段へのデータの書込動作を確保することが可能となる。
【発明を実施するための最良の形態】
【００２３】
以下、本発明の一つの実施の形態を図面に基づいて説明する。
【００２４】
図１は、この発明の網制御装置が適用されるデータ通信システムの全体構成の一例を示すブロック図である。
【００２５】
図１に示すように、網制御装置１は、端末装置２と遠隔端末装置３との間でデータ通信回線４を介してデータを送受信するための装置である。端末装置（計量装置）２は、ガスや水道などの使用量を測定し、また警報信号を発生する。遠隔端末装置（センターサーバ）３は遠隔操作または監視を行う。データ通信回線４は遠隔端末装置３と網制御装置１を繋ぐ。回線通信回路１０１は、データ通信回線４を介して遠隔端末装置３とのデータ通信を処理する。通信Ｉ／Ｆ回路１０２は端末装置２とのデータ通信を行う。制御手段としてのシステム制御回路１０３は、計量装置の計量データや警報機からの警報信号や遠隔端末装置３からの制御信号を処理するとともに網制御装置１を制御する。データ記憶手段としてのデータ記憶回路１０４は、網制御装置１が記憶する必要のあるデータを格納する。主電源供給手段としてのＡＣ／ＤＣ電源回路１１１は、商用電源５を直流電圧に変換する。また、主電源供給手段としてのＤＣ／ＤＣ電源回路１１２は、変換された直流電圧を各回路ブロックが所望する直流電圧に変換する。副電源供給手段としてのサブ電源回路１２０は、データ記憶回路１０４へ電源を供給する。電源切替手段としての電源切替回路１３０は、システム制御回路１０３から出力される信号、または、データ記憶回路１０４から出力される信号に応じてデータ記憶回路１０４の電源をサブ電源回路１２０へ切り替えるものである。
【００２６】
図２は、図１における網制御装置の一つの実施の形態としてデータ記憶回路の電源を制御するための構成を示すブロック図である。
【００２７】
図２に示すように、システム制御回路として機能するマイクロコンピュータ１０３は、アドレスバスまたはデータバスと、データ記憶回路として機能する不揮発性メモリ１０４へのリードまたはライト等の各種動作を制御する際に使用する制御信号とによってアクセスを制御することができるように不揮発性メモリ１０４に接続されている。電源切替回路１３０は、不揮発性メモリ１０４用のサブ電源１２０からの電源供給をマイクロコンピュータ１０３からの制御信号に従ってＯＮ／ＯＦＦ制御する。
【００２８】
通常、マイクロコンピュータ１０３が不揮発性メモリ１０４を使用するためには制御信号の一つである使用信号としてのチップセレクト（ＣＳ）信号をＬｏｗ（Ａｃｔｖｉｅ Ｌｏｗ時）にする必要がある。マイクロコンピュータ１０３が不揮発性メモリ１０４へデータの書込を行うためにチップセレクト信号をＬｏｗにすることにより、不揮発性メモリ１０４が動作モードへ移行するとともに、電源切替回路１３０がＯＮ動作し、不揮発性メモリ１０４用のサブ電源１２０から不揮発性メモリ１０４に対して電源が供給される。不揮発性メモリ１０４は主電源供給手段としてのメイン電源１１０からの電源を用いて書込動作を行っているが、このとき、メイン電源１１０からの電源供給が遮断されても、不揮発性メモリ１０４に対しては副電源供給手段としてのサブ電源１２０からも電源が供給されているので、不揮発性メモリ１０４は書込動作を正常に継続することができる。
【００２９】
図２に示す実施の形態の例では、電源切替回路１３０の制御信号として、マイクロコンピュータ１０３が不揮発性メモリ１０４を使用する際に制御するチップセレクト（ＣＳ）信号を利用したが、不揮発性メモリ１０４に割り当てたアドレス信号により電源切替回路１３０を制御することも可能である。
【００３０】
図３は、図１における網制御装置のもう一つの実施の形態としてデータ記憶回路の電源を制御するための構成を示すブロック図である。
【００３１】
図３に示すように、アドレス信号としてのアドレスバスからの信号をアドレス選択手段としてのアドレス選択回路１４０により解析し、マイクロコンピュータ１０３が不揮発性メモリ１０４へ割り当てたメモリ空間へのアクセスが発生したときのみ、電源切替回路１３０をＯＮ制御する。このようにすることにより、不揮発性メモリ１０４にて書込動作中にメイン電源１１０からの電源供給が遮断されても、不揮発性メモリ１０４に対してはサブ電源１２０からも電源が供給されているので、不揮発性メモリ１０４は書込動作を正常に継続することができる。アドレスバスからの信号を用いることにより、不揮発性メモリ１０４の全メモリブロックに対する書込動作を保護するだけでなく、特定のメモリブロックのみを保護することも可能となる。
【００３２】
図２、図３に示すような電源切替回路１３０の制御方法を利用すると、メイン電源１１０から正常に不揮発性メモリ１０４に対して電源を供給している場合でも、マイクロコンピュータ１０３が不揮発性メモリ１０４への書込動作を行う度に、電源切替回路１３０はＯＮ制御され、サブ電源１２０からの電源も不揮発性メモリ１０４に対して供給される。サブ電源１２０として電池を利用している場合、不揮発性メモリ１０４への書込動作が連続して何度も行われていると、徐々に電池容量が低下してしまうため、電池の寿命を管理する必要がある。
【００３３】
図４は、図１における網制御装置のさらにもう一つの実施の形態としてデータ記憶回路の電源を制御するための構成を示すブロック図である。
【００３４】
そこで、図４に示すように、メイン電源１１０からの出力電圧の電圧低下を検出する電圧低下検出手段としての電圧低下検出回路１５０を設け、マイクロコンピュータ１０３が不揮発性メモリ１０４を使用する際に制御するチップセレクト（ＣＳ）信号に加え、電圧低下検出回路１５０から出力されるメイン電源１１０からの出力電圧の低下を示す電圧低下信号を用いて電源切替回路１３０を制御する。この場合、不揮発性メモリ１０４への書込動作を行うことによりマイクロコンピュータ１０３が出力するチップセレクト（ＣＳ）信号がＬｏｗとなっても、メイン電源１１０からの出力電圧が安定しているため、電圧低下検出回路１５０の出力信号はＨｉｇｈのままであるので、ＮＯＲゲート回路１６０の出力信号はＬｏｗとなる。これにより、電源切替回路１３０はＯＦＦ動作のままであり、サブ電源１２０からの電源は不揮発性メモリ１０４に対して供給されない。
【００３５】
一方、不揮発性メモリ１０４への書込動作中にメイン電源１１０からの電源供給電圧が低下すると、メイン電源１１０の出力電圧の低下を電圧低下検出回路１５０が検出し、電圧低下検出回路１５０の出力信号がＨｉｇｈからＬｏｗへ変化する。この場合、不揮発性メモリ１０４への書込動作を行うことによりマイクロコンピュータ１０３が出力するチップセレクト（ＣＳ）信号がＬｏｗであることに加えて、電圧低下検出回路１５０の出力信号もＬｏｗとなるので、ＮＯＲゲート回路１６０の出力信号はＨｉｇｈとなる。これにより、電源切替回路１３０はＯＮ動作に制御され、サブ電源１２０からの電源が不揮発性メモリ１０４へ供給される。その後、不揮発性メモリ１０４に対するメイン電願からの供給電圧が完全になくなっても、不揮発性メモリ１０４に対してはサブ電源１２０から電源が供給されているので、不揮発性メモリ１０４は書込動作を正常に継続することができる。つまり、不揮発性メモリ１０４に対する書込動作を行っている際に、メイン電源１１０からの供給電源が途絶える場合のみ、サブ電源１２０から不揮発性メモリ１０４に対して電源を供給することが可能となり、サブ電源１２０として電池を用いている場合は電池容量を有効に使用することが可能となる。
【００３６】
図５は、図１における網制御装置の別の実施の形態としてデータ記憶回路の電源を制御するための構成を示すブロック図である。
【００３７】
図５に示すように電源切替回路１３０の制御信号として不揮発性メモリ１０４が出力する状態信号を用いることも可能である。通常、不揮発性メモリ１０４には、マイクロコンピュータ１０３などの外部デバイスから内部メモリへの書込命令や消去命令を確実に処理するために、不揮発性メモリ１０４の内部に書込制御回路があり、書込動作中または消去動作中を示す状態信号（ＢＵＳＹ信号）が準備されている。マイクロコンピュータ１０３からの書込命令を受けた不揮発性メモリ１０４は状態信号をＬｏｗ出力とし、内部メモリへの書込動作を始める。不揮発性メモリ１０４が出力する状態信号がＬｏｗの場合に電源切替回路１３０がＯＮ動作するように制御することにより、サブ電源１２０からの電源が不揮発性メモリ１０４へ供給される。このとき、メイン電源１１０からの供給電圧が途絶えても、不揮発性メモリ１０４へはサブ電源１２０からの電源が供給されており、不揮発性メモリ１０４の内部で行われている書込動作は正常に行われる。不揮発性メモリ１０４の内部での書込動作が終了すると、不揮発性メモリ１０４が出力する状態信号はＨｉｇｈとなり、電源切替回路１３０はＯＦＦ動作に制御され、不揮発性メモリ１０４への電源供給もＯＦＦとなる。これにより、不揮発性メモリ１０４が実際に内部メモリへ書込動作を行っている時間だけ、サブ電源１２０からの電源供給を受けることが可能となる。
【００３８】
図５に示すような電源切替回路１３０の制御方法を利用すると、メイン電源１１０から正常に不揮発性メモリ１０４に対して電源を供給している場合でも、不揮発性メモリ１０４にて内部メモリへの書込動作が発生する度に、電源切替回路１３０はＯＮ動作に制御され、サブ電源１２０からの電源も不揮発性メモリ１０４に対して供給されるため、サブ電源１２０の電源容量を管理する必要がある。
【００３９】
図６は、図１における網制御装置のさらに別の実施の形態としてデータ記憶回路の電源を制御するための構成を示すブロック図である。
【００４０】
そこで、図６に示すように、メイン電源１１０としてのＡＣ／ＤＣ電源回路１１１からの供給電圧が低下したことを検出する電圧低下検出回路１５０と、サブ電源１２０としての２次電池１２１と、２次電池１２１からの供給電圧を不揮発性メモリ１０４が必要とする電圧へ変換するＤＣ／ＤＣ電源回路１２２と、２次電池１２１の充電を行う充電回路１２３とを設け、不揮発性メモリ１０４が出力する状態信号（ＢＵＳＹ信号）と電圧低下検出回路１５０が出力する電圧低下出力信号とにより電源切替回路１３０を制御する。
【００４１】
マイクロコンピュータ１０３が不揮発性メモリ１０４に対して書込を行うと、不揮発性メモリ１０４の内部で書込動作中は状態信号（ＢＵＳＹ信号）がＬｏｗとなるが、電圧低下検出回路１５０からの出力信号がＨｉｇｈであるので、ＮＯＲゲート回路１６０の出力はＬｏｗである。このため、電源切替回路１３０はＯＦＦ動作に制御され、２次電池１２１から不揮発性メモリ１０４への電源供給は行われない。また、２次電池１２１の電圧が低下している場合は、充電回路１２３を介して２次電池１２１が充電される。
【００４２】
ＡＣ／ＤＣ電源回路１１１からの供給電圧が低下すると、電圧低下検出回路１５０からの出力信号がＬｏｗとなり、不揮発性メモリ１０４の内部で書込動作中は状態信号（ＢＵＳＹ信号）はＬｏｗであるので、ＮＯＲゲート回路１６０の出力はＨｉｇｈである。このため、電源切替回路１３０がＯＮ動作に制御され、２次電池１２１から不揮発性メモリ１０４に対する電源供給が開始される。その後、不揮発性メモリ１０４に対するメイン電源１１０としてのＡＣ／ＤＣ電源回路１１１からの供給電圧が完全になくなっても、不揮発性メモリ１０４に対しては２次電池１２１から電源が供給されているので、不揮発性メモリ１０４は書込動作を正常に継続することができる。つまり、不揮発性メモリ１０４に対する書込動作を行っている最中に、メイン電源１１０としてのＡＣ／ＤＣ電源回路１１１からの供給電源が途絶える場合のみ、サブ電源１２０から不揮発性メモリ１０４に対して電源を供給することが可能となる。
【００４３】
不揮発性メモリ１０４での書込動作が正常に終了し、不揮発性メモリ１０４の出力するＢＵＳＹ信号がＨｉｇｈになると、電圧低下検出回路１５０からの出力信号がＬｏｗであるので、ＮＯＲゲート回路１６０の出力はＬｏｗになる。このため、電源切替回路１３０はＯＦＦ動作に制御され、２次電池１２１から不揮発性メモリ１０４への電源供給は停止し、２次電池１２１の電池容量の浪費を抑えることができる。
【００４４】
また、ＡＣ／ＤＣ電源回路１１１の出力電圧が復帰した場合、充電回路１２３を介して２次電池１２１の充電が行われる。
【００４５】
図７は、図６に示されるデータ記憶回路の電源を制御するための具体的な構成を、回路構成要素を一部用いて示すブロック図である。図８と図９は、図７に示される構成を用いて行われる電源の制御動作において各電源電圧と各信号の波形を示す図である。
【００４６】
図７と図８に示すように、商用電源５が安定して供給されている状態では、ＡＣ／ＤＣ電源回路１１１の出力電圧は安定しているため、電圧低下検出回路１５０の出力信号はＨｉｇｈであるので、ＮＯＲゲート回路１６０への入力１はＨｉｇｈとなっている。不揮発性メモリ１０４への書込動作を行う前は、不揮発性メモリ１０４から出力される状態信号としてのＢＵＳＹ信号はＨｉｇｈであるので、ＮＯＲゲート回路１６０への入力２もＨｉｇｈである。ＮＯＲゲート回路１６０への両入力がＨｉｇｈであるので、ＮＯＲゲート回路１６０の出力はＬｏｗである。これにより、サブ電源１２０への切替を制御する電源切替電界効果トランジスタ（ＦＥＴ）１２７を制御するバイポーラトランジスタ１２８への入力がＬｏｗ、すなわち、電源切替電界効果トランジスタ（ＦＥＴ）１２７がＯＦＦ動作に制御されるので、サブ電源１２０としてのＤＣ／ＤＣ電源回路１２２から不揮発性メモリ１０４への電源供給は行われない。また、ＡＣ／ＤＣ電源回路１１１の出力電圧を２次電池１２１の充電に適した電圧に定電圧レギュレータ１２４により変換し、保護ダイオード１２５と電流制限抵抗１２６を介して２次電池１２１が充電される。
【００４７】
このとき、図８に示すように停電などにより商用電源５が遮断されると（電源遮断）、電圧低下検知回路１５０がＡＣ／ＤＣ電源回路１１１の出力電圧の低下を検知し、電圧低下出力信号がＬｏｗとなるが、不揮発性メモリ１０４における状態信号（ＢＵＳＹ信号）がＨｉｇｈのままであるので、ＮＯＲゲート回路１６０の出力はＬｏｗのままである。電源切替電界効果トランジスタ（ＦＥＴ）１２７を制御するバイポーラトランジスタ１２８への入力もＬｏｗのままであり、サブ電源１２０から不揮発性メモリ１０４への電源供給は行われない。このため、不揮発性メモリ１０４と網制御装置システムの電源電圧は低下し、システムは動作停止に至る。このとき、不揮発性メモリ１０４における状態信号（ＢＵＳＹ信号）はＬｏｗになる。
【００４８】
ここで、図８に示すように商用電源５からの供給電圧が復帰すると（電源投入）、電圧低下検出回路１５０の電圧低下出力信号がＨｉｇｈとなるため、ＮＯＲゲート回路１６０への入力１もＨｉｇｈになる。また、不揮発性メモリ１０４から出力されるＢＵＳＹ信号はＨｉｇｈになるので、ＮＯＲゲート回路１６０への入力２もＨｉｇｈである。このため、ＮＯＲゲート回路１６０の出力はＬｏｗである。これにより、サブ電源１２０への切替を制御する電源切替電界効果トランジスタ（ＦＥＴ）１２７を制御するバイポーラトランジスタ１２８への入力がＬｏｗ、すなわち、電源切替電界効果トランジスタ（ＦＥＴ）１２７がＯＦＦ動作に制御されるので、サブ電源１２０としてのＤＣ／ＤＣ電源回路１２２から不揮発性メモリ１０４への電源供給は行われない。
【００４９】
図８に示すように不揮発性メモリ１０４に対する書込動作が発生すると（書込動作開始）、不揮発性メモリ１０４におけるＢＵＳＹ信号はＬｏｗとなり、ＮＯＲゲート回路１６０への入力２がＬｏｗになる。この状態で停電などにより商用電源が遮断されると（電源遮断）、電圧低下検知回路１５０がＡＣ／ＤＣ電源回路１１１の出力電圧の低下を検知し、電圧低下出力信号がＬｏｗになり、ＮＯＲゲート回路１６０への入力１もＬｏｗになる。ＮＯＲゲート回路１６０への両入力がともにＬｏｗであるので、ＮＯＲゲート回路１６０の出力はＨｉｇｈになり、電源切替電界効果トランジスタ（ＦＥＴ）１２７がＯＮ動作に制御される。これにより、２次電池１２１からＤＣ／ＤＣ電源回路１２２を介して不揮発性メモリ１０４に対する電源供給が開始され、商用電源５からの電源供給が遮断された状態であっても不揮発性メモリ１０４に供給される電源電圧は変動しない。
【００５０】
そして図８に示すように不揮発性メモリ１０４への書込動作中に商用電源５からの供給電圧が復帰すると（電源投入）、電圧低下検出回路１５０からの電圧低下出力信号はＨｉｇｈに復帰するため、ＮＯＲゲート回路１６０の出力はＬｏｗに変化し、電源切替電界効果トランジスタ（ＦＥＴ）１２７はＯＦＦ動作に制御され、２次電池１２１から不揮発性メモリ１０４への電源供給は停止される。２次電池１２１からの電源供給が遮断されてもＡＣ／ＤＣ電源回路１１１とＤＣ／ＤＣ電源回路１１２を介して不揮発性メモリ１０４への電源供給が行われているため、不揮発性メモリ１０４は正常に書込動作を処理し、終了することができる（書込動作終了）。
【００５１】
図９に示すように、不揮発性メモリ１０４への書込動作終了後も商用電源５からの供給電圧が復帰しない場合、不揮発性メモリ１０４の内部での書込動作が完了すると、ＢＵＳＹ信号がＨｉｇｈになり、電圧低下検出回路１５０からの電圧低下出力信号はＬｏｗのままであるので、ＮＯＲゲート回路１６０の出力はＬｏｗに変化し、電源切替電界効果トランジスタ（ＦＥＴ）１２７はＯＦＦ動作に制御される。これにより、２次電池１２１からの電源供給が遮断される。これに伴って、不揮発性メモリ１０４への供給電源電圧も低下していき、システムは動作停止状態となる。
【００５２】
上記の実施の形態ではサブ電源１２０としての供給電源として２次電池１２１を使用することを示しているが、２次電池ではなく、電気２重層コンデンサなどの電源容量の大きなコンデンサを使用することも可能である。
【００５３】
以上説明したように、本発明の一つの実施の形態によれば、ガスメータ・水道メータなどの計量装置や警報機などの端末装置２を接続するとともに、たとえば、ガス供給会社や警備会社などの遠隔端末装置（センターサーバ）３にデータ通信回線４により接続して、遠隔端末装置３と端末装置２との間の通信を中継することによって遠隔端末装置３からの自動遠隔検針や端末装置２から遠隔端末装置３へのガス漏れ警報通信などを行うことを可能とする網制御装置１に適用すれば、網制御装置１が保持する必要のあるデータを記憶する不揮発性メモリ１０４用のサブ電源１２０を備え、サブ電源１２０への電源切替回路１３０を制御して、不揮発性メモリ１０４へのデータ書込中の電源電圧遮断を防止することにより、確実に不揮発性メモリ１０４へのデータ書込を実現することを可能とする網制御装置１を提供することが可能となる。
【００５４】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００５５】
【図１】この発明の網制御装置が適用されるデータ通信システムの全体構成の一例を示すブロック図である。
【図２】図１における網制御装置の一つの実施の形態としてデータ記憶回路の電源を制御するための構成を示すブロック図である。
【図３】図１における網制御装置のもう一つの実施の形態としてデータ記憶回路の電源を制御するための構成を示すブロック図である。
【図４】図１における網制御装置のさらにもう一つの実施の形態としてデータ記憶回路の電源を制御するための構成を示すブロック図である。
【図５】図１における網制御装置の別の実施の形態としてデータ記憶回路の電源を制御するための構成を示すブロック図である。
【図６】図１における網制御装置のさらに別の実施の形態としてデータ記憶回路の電源を制御するための構成を示すブロック図である。
【図７】図６に示されるデータ記憶回路の電源を制御するための具体的な構成を、回路構成要素を一部用いて示すブロック図である。
【図８】図７に示される構成を用いて行われる電源の制御動作において各電源電圧と各信号の波形の一つの例を示す図である。
【図９】図７に示される構成を用いて行われる電源の制御動作において各電源電圧と各信号の波形の別の例を示す図である。
【符号の説明】
【００５６】
１：網制御装置、２：端末装置、３：遠隔端末装置、４：データ通信回線、１０３：システム制御回路（マイクロコンピュータ）、１０４：データ記憶回路（不揮発性メモリ）、１１０：メイン電源、１１１：ＡＣ／ＤＣ電源回路、１１２：ＤＣ／ＤＣ電源回路、１２０：サブ電源回路（サブ電源）、１２１：２次電池、１３０：電源切替回路、１５０：電圧低下検出回路。
【図１】
2006203285.tif 000003
【図２】
2006203285.tif 000004
【図３】
2006203285.tif 000005
【図４】
2006203285.tif 000006
【図５】
2006203285.tif 000007
【図６】
2006203285.tif 000008
【図７】
2006203285.tif 000009
【図８】
2006203285.tif 000010
【図９】
2006203285.tif 000011